(57)【要約】【課題】短時間で容易にフックに着脱でき、形状、軸径が異なる他のフックにも容易に流用できるフック外れ止め装置を提供する。【解決手段】フックの軸部２に着脱自在に取り付けられる取付部３と、取付部３に設けられフックの掛け口を塞ぐ外れ止め４とを備えたフック外れ止め装置１において、取付部３が、軸部２に当接され外れ止め４を支持するベース部５と、ベース部５に一端が接続されるチェーン６と、チェーン６に複数形成されたラチェット歯７と、ベース部５に設けられチェーン６を挿入させるチェーン挿入部８と、チェーン挿入部８に回動自在に設けられたレバー９と、レバー９の回動先端をチェーン６に向けて付勢するバネ９ａと、レバー９の回動先端に設けられチェーン６の抜け方向の移動を規制すると共にチェーン６の挿入方向の移動を許容するようにラチェット歯７と噛み合うラチェット爪１０と、チェーン６に張力を付与する張力付与手段１１とを備えたものである。【選択図】図１
2012184103.tif 000002
【特許請求の範囲】
【請求項１】
フックの軸部に着脱自在に取り付けられる取付部と、該取付部に設けられフックの掛け口を塞ぐ外れ止めとを備えたフック外れ止め装置において、上記取付部が、上記軸部に当接され上記外れ止めを支持するベース部と、該ベース部に一端が接続され上記軸部に巻き付けられるチェーンと、該チェーンの他端側に長手方向に沿って複数形成されたラチェット歯と、上記ベース部に設けられ上記チェーンの他端側を挿入させるチェーン挿入部と、該チェーン挿入部に回動自在に設けられ回動先端が上記チェーン挿入部内のチェーンに臨むレバーと、上記チェーン挿入部に設けられ上記レバーの回動先端を上記チェーンに向けて付勢するバネと、上記レバーの回動先端に設けられ上記チェーンの抜け方向の移動を規制すると共にチェーンの挿入方向の移動を許容するように上記ラチェット歯と噛み合うラチェット爪と、上記軸部に巻き付いたチェーンに張力を付与する張力付与手段とを備えたことを特徴とするフック外れ止め装置。
【請求項２】
上記チェーン挿入部には、上記レバーの回動を規制するロック機構が設けられた請求項１記載のフック外れ止め装置。
【請求項３】
上記レバーは、回動中心から直径方向に延びて形成され、一端側に上記ラチェット爪が設けられると共に他端側に手動操作するための操作部が形成された請求項１又は２記載のフック外れ止め装置。
【請求項４】
上記ベース部が、上記軸部の周方向に延びると共に周方向に屈曲自在に形成され、上記ベース部の一端に上記チェーンが接続され、上記ベース部の他端に上記チェーン挿入部が設けられた請求項１〜３のいずれかに記載のフック外れ止め装置。
【請求項５】
上記ベース部が、複数のブロックを屈曲自在に連結して形成された請求項４記載のフック外れ止め装置。
【請求項６】
上記外れ止めは、中央に位置するブロックに設けられた請求項５記載のフック外れ止め装置。
【発明の詳細な説明】
【技術分野】
【０００１】
本発明は、クレーン等のフックに着脱自在に取り付けられフックの掛け口を塞ぐフック外れ止め装置に関する。
【背景技術】
【０００２】
従来のフック外れ止め装置には、図１０（ａ）、（ｂ）に示すように、２枚の曲げプレート４１間にフック４２の軸部２を挟み、曲げプレート４１同士をボルト４３、ナット４４で締め込むことでフック４２に固定するようになっているフック外れ止め装置４０や、図１０（ｃ）、（ｄ）に示すように、フック４２の軸部２に凸部（取付ピース）４５を形成し、凸部４５にピン４６を介して外れ止め４を設けるフック外れ止め装置４７があった。
【０００３】
また、図１１に示すように、従来のフック外れ止め装置４８には、フックの軸部にチェーン４９を巻き付けて固定するタイプのものもあった。
【先行技術文献】
【特許文献】
【０００４】
【特許文献１】特許第４０７９４９８号公報
【発明の概要】
【発明が解決しようとする課題】
【０００５】
ところで、フック外れ止め装置４０、４７、４８の使用方法には、通常はフック４２から外しておき、必要に応じてフック４２に組み付ける使用方法や、通常はフック４２に組み付けておき、必要に応じてフック４２から取り外す使用方法がある。例えば特殊な吊り具を使用する場合等、フック外れ止め装置４０、４７、４８が邪魔になって吊り具がフック４２に掛からない場合、フック４２からフック外れ止め装置４０、４７、４８を取り外す必要がある。
【０００６】
しかしながら、図１０（ａ）、（ｂ）に示すタイプのフック外れ止め装置４０は、フック４２に着脱するときスパナ、ラチェット等の工具でボルト４３、ナット４４を取り外す必要があり、図１０（ｃ）、（ｄ）に示すタイプのフック外れ止め装置４７は、ピン４６から抜け止め用の割りピン（図示せず）を取り外す必要があり、図１１に示すタイプのフック外れ止め装置４８は、チェーン４９を繋ぐクリップ５０を取り外す必要があり、従来のフック外れ止め装置４０、４７、４８は取り外しに時間がかかるという課題があった。特に時間に制約があるときや、高温雰囲気中で人間が長時間作業不可能なときは、短時間での着脱が必要となる。
【０００７】
また、図１０（ａ）、（ｂ）に示すタイプのフック外れ止め装置４０は、フック４２の軸径に応じて曲げプレート４１の曲げＲが変わってくるため、他のフックへの流用は難しく、真円に近い状態の軸部２でないと取り付けが困難であり、図１０（ｃ）、（ｄ）に示すタイプのフック外れ止め装置４７は、凸部４５を有しないフックには流用できず、図１１に示すタイプのフック外れ止め装置４８は、フック軸径に合うようにチェーン数を調整する必要があると共に、上面制限のときなど状況によってクリップ５０の取り付けが困難な場合があるという課題があった。
【０００８】
そこで、本発明の目的は、上記課題を解決し、短時間で容易にフックに着脱でき、形状、軸径が異なる他のフックにも容易に流用できるフック外れ止め装置を提供することにある。
【課題を解決するための手段】
【０００９】
上記課題を解決するために本発明は、フックの軸部に着脱自在に取り付けられる取付部と、該取付部に設けられフックの掛け口を塞ぐ外れ止めとを備えたフック外れ止め装置において、上記取付部が、上記軸部に当接され上記外れ止めを支持するベース部と、該ベース部に一端が接続され上記軸部に巻き付けられるチェーンと、該チェーンの他端側に長手方向に沿って複数形成されたラチェット歯と、上記ベース部に設けられ上記チェーンの他端側を挿入させるチェーン挿入部と、該チェーン挿入部に回動自在に設けられ回動先端が上記チェーン挿入部内のチェーンに臨むレバーと、上記チェーン挿入部に設けられ上記レバーの回動先端を上記チェーンに向けて付勢するバネと、上記レバーの回動先端に設けられ上記チェーンの抜け方向の移動を規制すると共にチェーンの挿入方向の移動を許容するように上記ラチェット歯と噛み合うラチェット爪と、上記軸部に巻き付いたチェーンに張力を付与する張力付与手段とを備えたものである。
【００１０】
上記チェーン挿入部には、上記レバーの回動を規制するロック機構が設けられるとよい。上記レバーは、回動中心から直径方向に延びて形成され、一端側に上記ラチェット爪が設けられると共に他端側に手動操作するための操作部が形成されるとよい。
【００１１】
また、上記ベース部が、上記軸部の周方向に延びると共に周方向に屈曲自在に形成され、上記ベース部の一端に上記チェーンが接続され、上記ベース部の他端に上記チェーン挿入部が設けられるとよい。
【００１２】
このとき、上記ベース部が、複数のブロックを屈曲自在に連結して形成されるとよい。
【００１３】
上記外れ止めは、中央に位置するブロックに設けられるとよい。
【発明の効果】
【００１４】
本発明によれば、短時間で容易にフックに着脱でき、形状、軸径が異なる他のフックにも容易に流用できる。
【図面の簡単な説明】
【００１５】
【図１】本実施の形態に係るフック外れ止め装置の平面図である。
【図２】図１の側面図である。
【図３】図１の要部拡大図である。
【図４】フックの軸部に取り付ける前のフック外れ止め装置の平面図である。
【図５】フックの軸部に取り付ける前のフック外れ止め装置の要部拡大平面図である。
【図６】フックの軸部に取り付けたフック外れ止め装置の要部拡大平面図である。
【図７】フック外れ止め装置の斜視図である。
【図８】他の実施の形態を示すフック外れ止め装置の斜視図である。
【図９】図８のフック外れ止め装置を後方から視た斜視図である。
【図１０】（ａ）は従来の第一のタイプのフック外れ止め装置の側面図であり、（ｂ）は（ａ）の平面図であり、（ｃ）は従来の第二のタイプのフック外れ止め装置の側面図であり、（ｄ）は（ｃ）の平面図である。
【図１１】従来の第三のタイプのフック外れ止め装置の斜視図である。
【発明を実施するための形態】
【００１６】
図１、図２及び図７に示すように、フック外れ止め装置１は、フックの軸部２に着脱自在に取り付けられる取付部３と、取付部３に設けられフックの掛け口（図示せず）を塞ぐ外れ止め４とを備える。
【００１７】
取付部３は、フックの軸部２に当接され外れ止め４を支持するベース部５と、ベース部５に一端が接続されフックの軸部２に巻き付けられるチェーン６と、チェーン６の他端側に長手方向に沿って複数形成されたラチェット歯７と、ベース部５に設けられチェーン６の他端（自由端）側を挿入させるためのチェーン挿入部８と、チェーン挿入部８に回動自在に設けられ回動先端がチェーン挿入部８内のチェーン６に臨むレバー９と、チェーン挿入部８に設けられレバー９の回動先端をチェーン６に向けて付勢するバネ９ａと、レバー９の回動先端に設けられチェーン６の抜け方向の移動を規制すると共にチェーン６の挿入方向の移動を許容するようにラチェット歯７と噛み合うラチェット爪１０と、ベース部５に設けられ軸部２に巻き付いたチェーン６に張力を付与するための張力付与手段１１とを備えて構成されている。
【００１８】
ベース部５は、水平方向に延びるブロック状に形成されたベース部本体５ａと、ベース部本体５ａの中央に設けられ下方に延びる下延部５ｂとからなる。ベース部本体５ａは側部に軸部２に嵌合する凹部１２を有する。ベース部本体５ａの一方の端部には、チェーン６が接続されており、ベース部本体５ａの他方の端部には、チェーン挿入部８が設けられている。下延部５ｂは、側面視Ｌ字状に形成されている。下延部５ｂの先端には、外れ止め４が俯仰自在に設けられると共に、外れ止め４を上方に回動させるように付勢するスプリング１３が設けられている。
【００１９】
チェーン６は、ベース部５に一端が接続されフックの軸部２に巻き付けるための巻回チェーン部６ａと、巻回チェーン部６ａの他端に接続されチェーン挿入部８に挿入すると共に係止するための係止チェーン部６ｂとからなる。
【００２０】
巻回チェーン部６ａは、内リンク１４と外リンク１５を交互に連結してなる伝動用チェーンからなる。内リンク１４は、板状に形成されると共に一対の孔（図示せず）を有する一対の内プレート１６と、これら内プレート１６間に設けられ、内プレート１６の孔同士をそれぞれ接続する筒状のブッシュ（図示せず）とからなる。外リンク１５は、両隣の内リンク１４のブッシュ内に挿通されるピン１７と、これらピン１７の両端に設けられる外プレート１８とからなる。
【００２１】
係止チェーン部６ｂは、内リンク１４と略同等の長さに形成されたブロック状の第１リンク部材１４ａと、外リンク１５と略同等の長さに形成されると共に両端に第１リンク部材１４ａの端部を挿入させる空隙（図示せず）を有する第２リンク部材１５ａと、第１リンク部材１４ａと第２リンク部材１５ａを交互に連結する連結ピン１７ａとを備える。第１リンク部材１４ａと第２リンク部材１５ａは、それぞれ削り出し、鋳造等により形成されている。連結ピン１７ａは、それぞれ上記ブッシュと平行に配置されており、第１リンク部材１４ａと第２リンク部材１５ａをブッシュと平行な軸回りに回動自在に連結するようになっている。また、チェーン６の先端には、チェーン挿入部８への挿入を容易にするためのテーパ状の先端部材１９が設けられている。
【００２２】
ラチェット歯７は、チェーン挿入部８にチェーン６を挿入したとき外周側となる係止チェーン部６ｂに略等間隔に複数形成されている。具体的には、ラチェット歯７は、チェーン６の他端（自由端）側の歯面２０がチェーン６の長手方向に対して傾斜し、かつ、チェーン６の一端（基端）側の歯面２１がチェーン６の長手方向に対して直交する直角三角形状に形成されている。
【００２３】
チェーン挿入部８は、断面コ字状に形成されており、ベース部５に固定され上下に延びる中央ガイド部２２と、中央ガイド部２２の上端から水平方向に延びて形成された上部ガイド部２３と、中央ガイド部２２の下端から水平方向に延びて形成された下部ガイド部２４とからなる。
【００２４】
レバー９は、チェーン挿入部８に上下に延びる支軸２５を介して軸支されており、支軸２５を中心として回動するようになっている。支軸２５は上部ガイド部２３と下部ガイド部２４との間に掛け渡して設けられると共に中央ガイド部２２から離間して設けられており、中央ガイド部２２とレバー９との間にはチェーン６を挿入するための挿入空間２６が形成されている。図３に示すようにレバー９は、回動中心たる支軸２５から直径方向に延びて形成されており、チェーン６の挿入方向側の端部にラチェット爪１０が設けられると共にチェーン６の抜き方向側の端部に手動操作するための操作部２７が形成されている。操作部２７に臨む上部ガイド部２３と下部ガイド部２４には、操作部２７を上下に露出するための切欠２８が形成されており、操作部２７を容易に手動操作できるようになっている。また、チェーン挿入部８には、レバー９の回動を規制するロック機構２９が設けられている。ロック機構２９は、上部ガイド部２３と下部ガイド部２４に形成されたピン孔３０と、これらピン孔３０に貫通して挿通されるロックピン３１とからなる。ロックピン３１は、ラチェット爪１０がラチェット歯７に噛み合ったときピン孔３０に挿通されることでレバー９の回動を規制するようになっている。
【００２５】
バネ９ａは、ねじりバネからなり、チェーン６の挿入方向側のレバー９をチェーン６に向けて付勢するようになっている。バネ９ａは、一端をチェーン挿入部８に係止されると共に、他端をレバー９に係止されている。
【００２６】
ラチェット爪１０は、ラチェット歯７と噛み合う直角三角形状に形成されており、レバー９に対して直角に延びる係止面３２がラチェット歯７と当接することでチェーン６の抜け方向の移動を規制するようになっている。
【００２７】
張力付与手段１１は、凹部１２からフックの軸部２に向けて突出する止めネジ３３からなる。止めネジ３３は、ベース部５を貫通すると共にベース部５に螺合されており、回転させることで凹部１２からの突出長さを調節できるようになっている。
【００２８】
次に本実施の形態の作用を述べる。
【００２９】
フックからフック外れ止め装置１を取り外す場合、図３に示すように、まず、ロック機構２９のピン孔３０からロックピン３１を抜き取ってレバー９の回動規制を解除する。次に、レバー９の操作部２７を押しながらチェーン挿入部８からチェーン６を引き抜く。レバー９が回動されたときラチェット歯７からラチェット爪１０が外れるので、チェーン挿入部８からチェーン６を容易に引き抜くことができ、フックからフック外れ止め装置１を容易に取り外すことができる。
【００３０】
このようにして取り外したフック外れ止め装置１を他のフックに取り付ける場合、図４及び図５に示すように、他のフックの軸部２にベース部５の凹部１２を嵌合させながら軸部２にチェーン６を巻回し、チェーン６の自由端をチェーン挿入部８の挿入空間２６に挿入する。このとき、チェーン６のラチェット歯７とラチェット爪１０は互いに干渉するが、ラチェット歯７の挿入側の歯面２０は挿入方向に対して傾斜しており、この歯面２０と当接するラチェット爪１０も同様に傾斜しているため、ラチェット歯７と干渉したラチェット爪１０はレバー９を回動させてラチェット歯７から逃げ、チェーン６の挿入方向の移動を許容する。フックの軸部２がチェーン６に干渉し、チェーン挿入部８へのチェーン６の挿入が限界に達したら、止めネジ３３を凹部１２内に突出させる方向に回してフックの軸部２をチェーン６に押し付ける。このとき、図６に示すように、ラチェット爪１０の係止面３２がラチェット歯７に当接されてチェーン６は抜き方向の移動を規制されているため、チェーン６には張力が発生し、フックの軸部２にフック外れ止め装置１が固定される。
【００３１】
このように、取付部３が、軸部２に当接され外れ止め４を支持するベース部５と、ベース部５に一端が接続され軸部２に巻き付けられるチェーン６と、チェーン６の他端側に長手方向に沿って複数形成されたラチェット歯７と、ベース部５に設けられチェーン６の他端側を挿入させるチェーン挿入部８と、チェーン挿入部８に回動自在に設けられ回動先端がチェーン挿入部８内のチェーン６に臨むレバー９と、チェーン挿入部８に設けられレバー９の回動先端をチェーン６に向けて付勢するバネ９ａと、レバー９の回動先端に設けられチェーン６の抜け方向の移動を規制すると共にチェーン６の挿入方向の移動を許容するようにラチェット歯７と噛み合うラチェット爪１０と、軸部２に巻き付いたチェーン６に張力を付与する張力付与手段１１とを備えるものとしたため、フックにフック外れ止め装置１を短時間で容易に着脱でき、フック外れ止め装置１を形状、軸径が異なる他のフックにも容易に流用できる。
【００３２】
チェーン挿入部８には、レバー９の回動を規制するロック機構２９が設けられるものとしたため、作業中にレバー９が吊り荷等に当たって回動するのを防ぐことができ、フック外れ止め装置１からフックが不意に外れるのを防ぐことができる。
【００３３】
レバー９は、支軸２５から直径方向に延びて形成され、一端側にラチェット爪１０が設けられると共に他端側に手動操作するための操作部２７が形成されるものとしたため、レバー９を簡易な構造で容易に回動させることができ、フックからフック外れ止め装置１を容易に取り外すことができる。
【００３４】
次に上述のフック外れ止め装置１のベース部５に変更を加えた他の実施の形態について述べる。上述と同様の構成については同符号を付し説明を省略する。
【００３５】
ベース部３４は、水平方向に３分割されており、軸部２（図７参照）の周方向に延びると共に周方向に屈曲自在に形成されている。具体的には、ベース部３４は、正面視右側に位置される左ブロック３５と、左ブロック３５に屈曲自在に連結された中央ブロック３６と、中央ブロック３６に屈曲自在に連結された右ブロック３７とからなる。
【００３６】
中央ブロック３６は、上部に形成された中央ブロック本体３６ａと、中央ブロック本体３６ａから下方に延びる下延部５ｂとからなる。中央ブロック本体３６ａには、張力付与手段１１たる止めネジ３３が設けられている。
【００３７】
右ブロック３７は、軸部２の外周に沿うように円弧状に形成されており、中央ブロック本体３６ａに上下に延びるピン、割ピン３８を介して屈曲自在に連結されている。右ブロック３７には、チェーン６の一端が上下に延びる軸回りに回動自在に連結されている。
【００３８】
左ブロック３５は、右ブロック３７と同様に円弧状に形成されており、中央ブロック本体３６ａに上下に延びるピン、割ピン３８を介して屈曲自在に連結されている。左ブロック３５には、チェーン挿入部８が設けられている。
【００３９】
このように、ベース部３４が、軸部２の周方向に延びると共に周方向に屈曲自在に形成され、ベース部３４の一端にチェーン６が接続され、ベース部３４の他端にチェーン挿入部８が設けられるものとすると、ベース部３４を軸径の小さなフックに取り付けるとき、ベース部３４の両端部とフックの軸部２との間に形成される隙間を小さく抑えることができ、ベース部３４が左右に振れるのをより確実に防ぐことができる。
【００４０】
ベース部３４が、複数のブロック３５、３６、３７を屈曲自在に連結して形成されるものとしたため、ベース部３４を簡易な構造で屈曲自在に形成できる。
【００４１】
外れ止め４は、中央に位置する中央ブロック３６に設けられるものとしたため、外れ止め４を左右対称に安定して支持できる。
【００４２】
なお、ベース部３４は３分割するものとしたが、これに限るものではなく、２つ以上の複数に分割するものであればよい。また、各ブロック３５、３６、３７をピン、割ピン３８を介して連結するものとしたが、ボルト・ナット（図示せず）を介して連結するものとしてもよい。
【符号の説明】
【００４３】
１  フック外れ止め装置
２  軸部
３  取付部
４  外れ止め
５  ベース部
６  チェーン
７  ラチェット歯
８  チェーン挿入部
９  レバー
１０  ラチェット爪
１１  張力付与手段
３４  ベース部
３５  左ブロック（ブロック）
３６  中央ブロック（ブロック）
３７  右ブロック（ブロック）
【図１】
2012184103.tif 000003
【図２】
2012184103.tif 000004
【図３】
2012184103.tif 000005
【図４】
2012184103.tif 000006
【図５】
2012184103.tif 000007
【図６】
2012184103.tif 000008
【図７】
2012184103.tif 000009
【図８】
2012184103.tif 000010
【図９】
2012184103.tif 000011
【図１０】
2012184103.tif 000012
【図１１】
2012184103.tif 000013